(57)【要約】【課題】構造を簡素化するとともに、容易に設置することが可能なシャッター巻上げ装置を提供する。【解決手段】シャッター巻上げ装置１は、手動式のシャッターの開閉機２の回転軸３を回転させてシャッターを巻き上げ可能である。シャッター巻上げ装置１は、回転軸３に係脱可能に係合する係合部材５が取り付けられた駆動装置としての電動ドリル４と、この電動ドリル４を開閉機２に保持する保持部材６と、を有し、保持部材６を開閉機２に保持することで、係合部材５が回転軸２に係合し、電動ドリル４を駆動して係合部材５を介して回転軸３を回転させてシャッターを巻き上げるように構成した。【選択図】図１
2020117890.tif 000002
【特許請求の範囲】
【請求項１】
手動式のシャッターの開閉機の回転軸を回転させて前記シャッターを巻き上げ可能に構成したシャッター巻上げ装置であって、
前記回転軸に係脱可能に係合する係合部材が取り付けられた駆動装置と、
前記駆動装置を前記開閉機に保持する保持部材と、を有し、
前記保持部材を前記開閉機に保持することで、前記係合部材が前記回転軸に係合し、前記駆動装置を駆動して前記係合部材を介して前記回転軸を回転させて前記シャッターを巻き上げるように構成したことを特徴とするシャッター巻上げ装置。
【請求項２】
前記保持部材は、
前記駆動装置の外周側に取り付けられる取付部と、
前記取付部を前記開閉機の周囲に固定する固定部材と、
を備えることを特徴とする請求項１に記載のシャッター巻上げ装置。
【請求項３】
前記固定部材は、前記取付部を周方向から締め付けて前記開閉機に固定する取付バンドとしたことを特徴とする請求項２に記載のシャッター巻上げ装置。
【請求項４】
前記係合部材は、前記駆動装置に自在継手を介して取り付けられ、前記係合部材を前記回転軸に対して位置調整可能に構成したことを特徴とする請求項１乃至３のいずれか一項に記載のシャッター巻上げ装置。
【請求項５】
前記駆動装置は、Ｘ軸方向及びＸ軸方向に対して直交するＹ軸方向に移動可能とするＸＹステージに取り付けられ、前記駆動装置をＸ軸方向及びＸ軸方向に移動させて前記係合部材を前記回転軸に対して位置調整可能に構成したことを特徴とする請求項１乃至３のいずれか一項に記載のシャッター巻上げ装置。
【発明の詳細な説明】
【技術分野】
【０００１】
本発明は、例えば防火シャッター等の作動試験時に閉じたシャッターを巻き上げるシャッター巻上げ装置に関する。
【背景技術】
【０００２】
一般に、デパートや大型ショッピングストア等の商業施設では、階段、エスカレータ等の周囲に、他の空間と区画するために手動式の防火シャッターが設けられている。この防火シャッターは、通常時は開放され、火災等の非常時にはシャッターのブレーキが解放され、自重によって降下し閉鎖されるように構成されている。
【０００３】
上記防火シャッターは、正常に作動するか否か定期的に作動試験を行うように義務付けられている。また、この防火シャッターは、通常時は開閉されないため、作動試験等おいては作業者が手動で開閉機の回転軸を回転させてシャッターを巻き上げている。
【０００４】
このようなシャッターを巻き上げる装置としては、例えば特許文献１及び特許文献２に記載された技術がある。特許文献１に記載された技術は、操作ボックスを建築物の開口部の下方側壁面に設け、シャッターの開閉機と操作ボックスとの間にフレキシブルシャフトやローラ等の回転伝達部材を介在させ、操作ボックスのハンドル嵌合軸にハンドルを差し込んで、開閉機の出力軸に回転トルクを伝達してシャッターを手動で巻き上げている。
【０００５】
また、特許文献２に記載された技術は、３脚に門型フレームを介して携帯用電動ドリルを取り付け、この携帯用電動ドリルとチェーンプーリを芯合わせする。その後、携帯用電動ドリルとチェーンプーリを連結し、このチェーンプーリにシャッター開閉用の開閉チェーンを掛け回し、携帯用電動ドリルを駆動させることによってシャッターの開閉を行うようにしている。
【先行技術文献】
【特許文献】
【０００６】
【特許文献１】実開昭６２−９６９３号公報
【特許文献２】実用新案登録第２５６８３８３号公報
【発明の概要】
【発明が解決しようとする課題】
【０００７】
しかしながら、特許文献１に記載された技術は、建築物の壁にシャッターの開閉機と操作ボックス間を連動連結するフレキシブルシャフト等の回転伝達部材を配設する工事と、この回転伝達部材に接続されたハンドル嵌合軸を支持するボックス体を設置する工事が必要である。シャッターが複数設置された場合には、シャッター１台毎に１セット必要となる。そのため、設置作業に著しく手間がかかり、設置するための作業効率が極めて低いという問題がある。
【０００８】
また、特許文献２に記載された技術は、３脚への携帯用電動ドリルの固定作業、携帯用電動ドリルとチェーンプーリを芯合わせする作業、携帯用電動ドリルとチェーンプーリを連結する作業、このチェーンプーリにシャッター開閉用の開閉チェーンを掛け回す作業等、多くの準備作業が必要となる。そのため、設置するための作業効率が極めて低いという問題がある。さらに、特許文献２に記載された技術は、部品点数が多くなり、構造が複雑化するという問題もある。
【０００９】
そこで、本発明は上記の問題に鑑みてなされたものであり、構造を簡素化し、設置するための作業効率を向上させることが可能なシャッター巻上げ装置を提供することを目的とする。
【課題を解決するための手段】
【００１０】
かかる目的を達成するために、請求項１に記載の発明は、手動式のシャッターの開閉機の回転軸を回転させて前記シャッターを巻き上げ可能に構成したシャッター巻上げ装置であって、前記回転軸に係脱可能に係合する係合部材が取り付けられた駆動装置と、前記駆動装置を前記開閉機に保持する保持部材と、を有し、前記保持部材を前記開閉機に保持することで、前記係合部材が前記回転軸に係合し、前記駆動装置を駆動して前記係合部材を介して前記回転軸を回転させて前記シャッターを巻き上げるように構成したことを特徴とする。
【００１１】
また、請求項２に記載の発明は、請求項１に記載の構成に加え、前記保持部材は、前記駆動装置の外周側に取り付けられる取付部と、前記取付部を前記開閉機の周囲に固定する固定部材と、を備えることを特徴とする。
【００１２】
また、請求項３に記載の発明は、請求項２に記載の構成に加え、前記固定部材は、前記取付部を周方向から締め付けて前記開閉機に固定する取付バンドとしたことを特徴とする。
【００１３】
また、請求項４に記載の発明は、請求項１乃至３のいずれか一項に記載の構成に加え、前記係合部材は、前記駆動装置に自在継手を介して取り付けられ、前記係合部材を前記回転軸に対して位置調整可能に構成したことを特徴とする。
【００１４】
また、請求項５に記載の発明は、請求項１乃至３のいずれか一項に記載の構成に加え、前記駆動装置は、Ｘ軸方向及びＸ軸方向に対して直交するＹ軸方向に移動可能とするＸＹステージに取り付けられ、前記駆動装置をＸ軸方向及びＸ軸方向に移動させて前記係合部材を前記回転軸に対して位置調整可能に構成したことを特徴とする。
【発明の効果】
【００１５】
請求項１に記載の発明によれば、保持部材を開閉機に保持することで、係合部材が回転軸に係合し、駆動装置を駆動して係合部材を介して回転軸を回転させてシャッターを巻き上げるように構成したことから、構造が簡素化され、設置するための作業効率を大幅に向上させることが可能になる。
【００１６】
また、請求項２に記載の発明によれば、保持部材は、駆動装置の外周側に取り付けられる取付部と、この取付部を開閉機の周囲に固定する固定部材と、を備えることから、取付部を開閉機の周囲に容易に固定することができる。
【００１７】
また、請求項３に記載の発明によれば、固定部材は、取付部を周方向から締め付けて開閉機に固定する取付バンドとしたことから、取付部を開閉機の周囲に極めて容易に固定することができる。
【００１８】
また、請求項４に記載の発明によれば、係合部材は、駆動装置に自在継手を介して取り付けられ、係合部材を回転軸に対して位置調整可能に構成したことから、回転軸に係合部材を確実かつ容易に係合させ、駆動装置の回転駆動力を開閉機の回転軸に確実に伝達することができる。
【００１９】
また、請求項５に記載の発明によれば、駆動装置は、Ｘ軸方向及びＸ軸方向に対して直交するＹ軸方向に移動可能とするＸＹステージに取り付けられ、前記駆動装置をＸ軸方向及びＸ軸方向に移動させて前記係合部材を前記回転軸に対して位置調整可能に構成したことから、同様に回転軸に係合部材を確実かつ容易に係合させ、駆動装置の回転駆動力を開閉機の回転軸に確実に伝達することができる。
【図面の簡単な説明】
【００２０】
【図１】本発明の第１実施形態に係るシャッター巻上げ装置の取付前の状態を示す斜視図である。
【図２】図１のシャッター巻上げ装置の取付後の状態を示す斜視図である。
【図３】（ａ），（ｂ）は係合部材が回転軸に係合する前の状態を示す要部斜視図，係合部材が回転軸に係合した後の状態を示す要部斜視図である。
【図４】本発明の第２実施形態に係るシャッター巻上げ装置の取付後の状態を示す斜視図である。
【図５】（ａ），（ｂ）は第２実施形態に係るシャッター巻上げ装置の取付バンドの締付金具が開いた状態を示す縦断面図，第２実施形態に係るシャッター巻上げ装置の取付バンドの締付金具が閉じた状態を示す縦断面図である。
【発明を実施するための形態】
【００２１】
以下、本発明の実施形態について、図面を参照して詳細に説明する。
【００２２】
［第１実施形態］
図１〜図３は、本発明の第１実施形態を示す。図１は、本発明の第１実施形態に係るシャッター巻上げ装置の取付前の状態を示す斜視図である。図２は、図１のシャッター巻上げ装置の取付後の状態を示す斜視図である。図３（ａ），（ｂ）は、係合部材が回転軸に係合する前の状態を示す要部斜視図，係合部材が回転軸に係合した後の状態を示す要部斜視図である。
【００２３】
なお、本実施形態のシャッター巻上げ装置は、例えば防火シャッターの作動点検を行う際、防火シャッターを巻き上げる装置に適用した例について説明する。また、本実施形態のシャッター巻上げ装置は、防火シャッターの開閉機が軸方向に段差を有して円柱状に形成されているものに適用した場合について説明する。
【００２４】
図１に示すように、本実施形態のシャッター巻上げ装置１は、例えば手動式の防火シャッターの開閉機２の回転軸３を回転させて図示しない防火シャッターを巻き上げ可能に構成した装置である。開閉機２の回転軸３の先端近傍には、ノックピン３ａが固定されている。
【００２５】
シャッター巻上げ装置１は、開閉機２の回転軸３に係脱可能に係合する係合部材５が取り付けられた駆動装置の一例である携帯用の電動ドリル４と、この電動ドリル４を開閉機２に保持する保持部材６と、を備える。
【００２６】
本実施形態の電動ドリル４は、市販のものが用いられ、ドリル本体４ａにバッテリ４ｂが搭載されている。電動ドリル４は、ドリル本体４ａにスリーブ４ｃが取り付けられ、このスリーブ４ｃに係合部材５が装着されている。この係合部材５は、図３（ａ）に示すように先端から軸方向に沿って所定長さに係合用スリット５ａが形成されている。
【００２７】
図３（ｂ）に示すように係合部材５が水平方向から回転軸３に係合した際は、係合用スリット５ａに回転軸３に固定したノックピン３ａが入り込んで係合する。このノックピン３ａは、係合部材５の回転が回転軸３に確実に伝達されるようにしている。係合部材５が回転軸３から離脱した際は、ノックピン３ａから係合用スリット５ａが離脱する。したがって、係合部材５は、回転軸３に対して係脱可能に構成されている。
【００２８】
電動ドリル４は、プルスイッチ４ｄを有する。このプルスイッチ４ｄの紐４ｅを引っ張ることで、電動ドリル４が駆動する。図２に示すように係合部材５が回転軸３に係合した際、プルスイッチ４ｄの紐４ｅを引っ張ることで電動ドリル４が駆動し、スリーブ４ｃ及び係合部材５を介して開閉機２の回転軸３を回転駆動させる。ここで、プルスイッチ４ｄは、紐を引くことで電路を開閉する手動スイッチである。シャッター巻上げ装置１が建築物の天井内に設置された開閉器２に保持されることから、プルスイッチ４ｄの紐４ｅの下端は、床上で作業者が操作し易い長さまで延びている。
【００２９】
保持部材６は、電動ドリル４の外周側に取り付けられる取付部７と、この取付部７を開閉機２の周囲に固定する固定部材の一例としての蝶ボルト８と、を備える。取付部７は、開閉機２の外形に対応して円筒状に形成されている。取付部７の径は、開閉機２の径よりやや大きく形成されている。
【００３０】
取付部７の一端（先端）には、周方向に沿って一定間隔をおいて複数本の蝶ボルト（本実施形態では３本）８が固定されている。したがって、取付部７の一端が開閉機２の回転軸３の取付側の端部に嵌め込まれて、３本の蝶ボルト８を締め付けることにより、開閉機２に保持部材６が保持される。
【００３１】
取付部７の一端には、切欠部７ａが軸方向に沿って形成されている。この切欠部７ａは、取付部７の一端が開閉機２の回転軸３の取付側の端部に保持されたとき、係合部材５が回転軸３に係合したかを作業者が目視にて確認することができるようになっている。
【００３２】
取付部７の他端には、周方向に沿って一定間隔をおいて長尺の複数本の蝶ボルト（本実施形態では２本）９が固定されている。取付部７の他端の開口部には、電動ドリル４が挿入され、この電動ドリル４のドリル本体４ａが２本の蝶ボルト９によって係合部材５が取付部７の中心位置になるように固定されている。
【００３３】
次に、本実施形態の作用を説明する。
【００３４】
まず、図１に示すように保持部材６を開閉器２に取り付ける前に、あらかじめ電動ドリル４を取付部７の他端の開口部に挿入し、ドリル本体４ａを２本の蝶ボルト９によって固定しておく。この場合、電動ドリル４に取り付けられた係合部材５が取付部７の中心に位置するようにしておく。
【００３５】
そして、図示しない防火シャッターの作動点検を行った際、防火シャッターを巻き上げる場合、作業者は脚立や梯子を組み立てて建築物の天井に設置された点検口を開ける。
【００３６】
次いで、作業者は、電動ドリル４が取り付けられた保持部材６を持って脚立や梯子を上り、上記点検口から上半身を潜入させ、取付部７の一端を開閉機２の回転軸３の取付側の端部に嵌め込むと同時に、切欠部７ａを通して目視で確認しながら開閉機２の回転軸３に係合部材５を水平方向から係合させる。ここで、係合部材５が回転軸３に係合した際は、係合用スリット５ａに回転軸３に固定したノックピン３ａが入り込んで係合する。
【００３７】
図２に示すように、開閉機２の回転軸３に係合部材５を係合させた後には、３つ蝶ボルト８を締め付けることにより、開閉機２に取付部７を保持させる。その後、作業者は床上において電動ドリル４のプルスイッチ４ｄの紐４ｅを引っ張って電動ドリル４を駆動させる。すると、スリーブ４ｃ及び係合部材５が回転駆動することで、その回転駆動力が開閉機２の回転軸３に伝達されて回転軸３が回転駆動する。この回転軸３が回転駆動することで、防火シャッターを巻き上げることができる。
【００３８】
このように本実施形態によれば、保持部材６を開閉機２に保持することで、係合部材５が回転軸３に係合し、電動ドリル４を駆動して係合部材５を介して回転軸３を回転させてシャッターを巻き上げるように構成したことから、構造が簡素化され、シャッター巻上げ装置１を設置するための作業効率を大幅に向上させることが可能になる。
【００３９】
また、本実施形態によれば、保持部材６は、電動ドリル４の外周側に取り付けられる取付部７と、この取付部７を開閉機２に固定する複数の蝶ボルト８と、を備えることから、取付部７の一端を開閉機２の回転軸３の取付側の端部に嵌め込み、蝶ボルト８を締め付けることにより、開閉機２の周囲に取付部７を容易に固定することができる。
【００４０】
なお、本実施形態では、図示していないが、電動ドリル４において、係合部材５をスリーブ４ｃに対して自在継手を介して取り付け、係合部材５を回転軸３に対して位置調整可能に構成することにより、係合部材５と回転軸３との芯が若干ずれた場合でも、回転軸３に係合部材５を確実かつ容易に係合させることができる。その結果、電動ドリル４の回転駆動力を開閉機２の回転軸３に確実に伝達することができる。
【００４１】
また、本実施形態では、取付部７に２本の蝶ボルトによって電動ドリル４を取り付けた例について説明したが、これに限らず、例えば電動ドリル４をＸ軸方向及びＸ軸方向に対して直交するＹ軸方向に移動可能とする図示しないＸＹステージに取り付け、電動ドリル４をＸ軸方向及びＸ軸方向に移動させて係合部材５を回転軸３に対して位置調整可能に構成するようにしてもよい。
【００４２】
このように構成すれば、上記と同様に回転軸３に係合部材５を確実かつ容易に係合させ、電動ドリル４の回転駆動力を開閉機２の回転軸３に確実に伝達することができる。
【００４３】
［第２実施形態］
図４は、本発明の第２実施形態に係るシャッター巻上げ装置の取付後の状態を示す斜視図である。図５（ａ），（ｂ）は、第２実施形態に係るシャッター巻上げ装置の取付バンドの締付金具が開いた状態を示す縦断面図，第２実施形態に係るシャッター巻上げ装置の取付バンドの締付金具が閉じた状態を示す縦断面図である。
【００４４】
なお、前記第１実施形態と同一の部分には、同一の符号を付して重複する説明を省略し、異なる構成及び作用について説明する。
【００４５】
本実施形態では、図４に示すように前記第１実施形態の電動ドリル４に変えて駆動装置として駆動モータ１０を用いている。この駆動モータ１０は、出力軸である回転軸１０ａを有し、この回転軸１０ａに係合部材５が固定されている。駆動モータ１０は、取付部７の内周面に４枚の固定板１１を介して固定されている。４枚の固定板１１は、駆動モータ１０と取付部７の内周面との間において、周方向に一定の角度で固定されている。駆動モータ１０は、電源コード１２を通してバッテリ電源１３に接続されている。この電源コード１２には、手元スイッチ１４が設けられている。
【００４６】
また、本実施形態では、前記第１実施形態の３本の蝶ボルト８に変えて固定部材として取付バンド１５を用いている。取付バンド１５は、図５（ａ）に示すように取付金具１６を備えている。図５（ｂ）に示すように取付金具１６を閉じる方向に操作することで、取付部７を周方向から締め付けることが可能となる。
【００４７】
したがって、取付部７の一端が開閉機２の回転軸３の取付側の端部に嵌め込まれたとき、取付バンド１５の取付金具１６を閉じる方向に操作することで、取付部７の一端を周方向から締め付けることにより、開閉機２に取付部７を固定することができる。ここで、本実施形態では、取付バンド１５に代えて、固定バンドを用いて取付部７を周方向から締め付けるようにしてもよい。
【００４８】
次に、本実施形態の作用を説明する。
【００４９】
前記第１実施形態と同様に、上記点検口から上半身を潜入させ、取付部７の一端を開閉機２の回転軸３の取付側の端部に嵌め込むと同時に、切欠部７ａを通して目視で確認しながら開閉機２の回転軸３に係合部材５を水平方向から係合させる。
【００５０】
図５（ａ），（ｂ）に示すように、開閉機２の回転軸３に係合部材５を係合させた後には、取付バンド１５の取付金具１６を閉じる方向に操作することで、取付部７の一端を周方向から締め付けることにより、開閉機２に保持部材６を保持させる。そして、駆動モータ１０の手元スイッチ１４を操作して駆動モータ１０を駆動させる。すると、回転軸１０ａ及び係合部材５が回転駆動することで、その回転駆動力が開閉機２の回転軸３に伝達されて回転軸３が回転駆動する。この回転軸３が回転駆動することで、防火シャッターを巻き上げることができる。
【００５１】
このように本実施形態によれば、取付バンド１５によって取付部７を周方向から締め付けて開閉機２に固定するようにしたので、取付部７を開閉機２の周囲に極めて容易に固定することができる。
【００５２】
なお、本実施形態でも、前記第１実施形態と同様に、係合部材５を回転軸１０ａに対して自在継手を介して取り付け、係合部材５を回転軸３に対して位置調整可能に構成するようにしてもよい。
【００５３】
また、本実施形態でも、前記第１実施形態と同様に、固定板１１に変えて駆動モータ１０を図示しないＸＹステージに取り付け、駆動モータ１０をＸ軸方向及びＸ軸方向に移動させて係合部材５を回転軸３に対して位置調整可能に構成するようにしてもよい。
【００５４】
[他の実施形態]
本発明の各実施形態を説明したが、これらの実施形態は、例として提示したものであり、発明の範囲を限定することは意図していない。これらの実施形態は、その他の様々な形態で実施されることが可能であり、発明の要旨を逸脱しない範囲で、種々の省略、置き換え、変更、組み合わせを行うことができる。これらの実施形態やその変形例は、発明の範囲や要旨に含まれると同様に、特許請求の範囲に記載された発明とその均等の範囲に含まれるものである。
【００５５】
例えば、上述した各実施形態では、防火シャッターの作動点検を行う際、防火シャッターを巻き上げる装置に適用した例について説明したが、これに限らずシャッターを巻き上げる装置であれば、如何なるものでも適用可能である。
【００５６】
また、上記各実施形態では、保持部材６の取付部７を円筒状に形成した例について説明したが、この形状に限定することなく、開閉機２の外形に対応して角筒状等、如何なる形状に形成したものでもよい。加えて、開閉機２における回転軸３の取付側の端部の外周面に突起等が形成されていた場合、取付部７の一端を開閉機２の回転軸３の取付側の端部に嵌め込むことができなくなることから、その突起等を回避するため、取付部７に切欠部７ａ以外の切欠部を形成してもよい。
【００５７】
さらに、前記第１実施形態では、固定部材として蝶ボルト８を使用し、第２実施形態では、取付バンド１５を使用した例について説明したが、両者を組み合わせて使用してもよい。
【００５８】
そして、前記第１実施形態では、電動ドリル４をオン、オフするスイッチにプルスイッチ４ｄを使用し、また前記第２実施形態では、駆動モータ１０をオン、オフするスイッチに手元スイッチ１４を使用した例について説明したが、これに限らず遠隔操作スイッチを用いるようにしてもよい。このように遠隔操作スイッチを用いた場合には、一段と操作性を向上させることができる。
【符号の説明】
【００５９】
１  シャッター巻上げ装置
２  開閉機
３  回転軸
４  電動ドリル（駆動装置）
４ａ  ドリル本体
４ｂ  バッテリ
４ｃ  スリーブ
４ｄ  プルスイッチ
４ｅ  紐
５  係合部材
５ａ  係合用スリット
６  保持部材
７  取付部
７ａ  切欠部
８  蝶ボルト（固定部材）
９  蝶ボルト
１０  駆動モータ（駆動装置）
１０ａ  回転軸
１１  固定板
１２  電源コード
１３  バッテリ電源
１４  手元スイッチ
１５  取付バンド（固定部材）
１６  取付金具
【図１】
2020117890.tif 000003
【図２】
2020117890.tif 000004
【図３】
2020117890.tif 000005
【図４】
2020117890.tif 000006
【図５】
2020117890.tif 000007
【手続補正書】
【提出日】令和1年10月8日(2019.10.8)
【手続補正１】
【補正対象書類名】特許請求の範囲
【補正対象項目名】全文
【補正方法】変更
【補正の内容】
【特許請求の範囲】
【請求項１】
手動式のシャッターの開閉機の回転軸を回転させて前記シャッターを巻き上げ可能に構成したシャッター巻上げ装置であって、
前記回転軸に係脱可能に係合する係合部材が取り付けられた駆動装置と、
前記駆動装置を前記開閉機に保持する保持部材と、を有し、
前記保持部材は、
前記開閉機の外形に対応して筒状に形成されるとともに、その内形が前記開閉機の外形よりもやや大きく形成され、一端部が前記開閉機の外周面に嵌め込み可能に構成され、前記駆動装置が取り付けられた取付部と、
前記開閉機の外周面に嵌め込まれている前記取付部の一端部を該外周面に固定する固定部材と、を備え、
前記開閉機に前記取付部を嵌め込み、前記固定部材で前記取付部の一端部を前記開閉機の外周面に固定して前記保持部材を前記開閉機に保持することで、前記係合部材が前記回転軸に係合し、前記駆動装置を駆動して前記係合部材を介して前記回転軸を回転させて前記シャッターを巻き上げるように構成したことを特徴とするシャッター巻上げ装置。
【請求項２】
手動式のシャッターの開閉機の回転軸を回転させて前記シャッターを巻き上げ可能に構成したシャッター巻上げ装置であって、
前記回転軸に係脱可能に係合する係合部材が取り付けられた駆動装置と、
前記駆動装置を前記開閉機に保持する保持部材と、を有し、
前記保持部材を前記開閉機に保持することで、前記係合部材が前記回転軸に係合し、前記駆動装置を駆動して前記係合部材を介して前記回転軸を回転させて前記シャッターを巻き上げるように構成し、
前記保持部材は、
前記駆動装置の外周側に取り付けられる取付部と、
前記取付部を前記開閉機の周囲に固定する固定部材と、
を備え、
前記固定部材は、前記取付部を周方向から締め付けて前記開閉機に固定する取付バンドとしたことを特徴とするシャッター巻上げ装置。
【請求項３】
手動式のシャッターの開閉機の回転軸を回転させて前記シャッターを巻き上げ可能に構成したシャッター巻上げ装置であって、
前記回転軸に係脱可能に係合する係合部材が取り付けられた駆動装置と、
前記駆動装置を前記開閉機に保持する保持部材と、を有し、
前記保持部材を前記開閉機に保持することで、前記係合部材が前記回転軸に係合し、前記駆動装置を駆動して前記係合部材を介して前記回転軸を回転させて前記シャッターを巻き上げるように構成し、
前記係合部材は、前記駆動装置に自在継手を介して取り付けられ、前記係合部材を前記回転軸に対して位置調整可能に構成したことを特徴とするシャッター巻上げ装置。
【請求項４】
手動式のシャッターの開閉機の回転軸を回転させて前記シャッターを巻き上げ可能に構成したシャッター巻上げ装置であって、
前記回転軸に係脱可能に係合する係合部材が取り付けられた駆動装置と、
前記駆動装置を前記開閉機に保持する保持部材と、を有し、
前記保持部材を前記開閉機に保持することで、前記係合部材が前記回転軸に係合し、前記駆動装置を駆動して前記係合部材を介して前記回転軸を回転させて前記シャッターを巻き上げるように構成し、
前記駆動装置は、Ｘ軸方向及びＸ軸方向に対して直交するＹ軸方向に移動可能とするＸＹステージに取り付けられ、前記駆動装置をＸ軸方向及びＸ軸方向に移動させて前記係合部材を前記回転軸に対して位置調整可能に構成したことを特徴とするシャッター巻上げ装置。
【手続補正２】
【補正対象書類名】明細書
【補正対象項目名】００１０
【補正方法】変更
【補正の内容】
【００１０】
かかる課題を達成するために、請求項１に記載の発明は、手動式のシャッターの開閉機の回転軸を回転させて前記シャッターを巻き上げ可能に構成したシャッター巻上げ装置であって、前記回転軸に係脱可能に係合する係合部材が取り付けられた駆動装置と、前記駆動装置を前記開閉機に保持する保持部材と、を有し、前記保持部材は、前記開閉機の外形に対応して筒状に形成されるとともに、その内形が前記開閉機の外形よりもやや大きく形成され、一端部が前記開閉機の外周面に嵌め込み可能に構成され、前記駆動装置が取り付けられた取付部と、前記開閉機の外周面に嵌め込まれている前記取付部の一端を該外周面に固定する固定部材と、を備え、前記開閉機に前記取付部を嵌め込み、前記固定部材で前記取付部の一端部を前記開閉機の外周面に固定して前記保持部材を前記開閉機に保持することで、前記係合部材が前記回転軸に係合し、前記駆動装置を駆動して前記係合部材を介して前記回転軸を回転させて前記シャッターを巻き上げるように構成したことを特徴とする。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】変更
【補正の内容】
【００１２】
また、請求項２に記載の発明は、手動式のシャッターの開閉機の回転軸を回転させて前記シャッターを巻き上げ可能に構成したシャッター巻上げ装置であって、前記回転軸に係脱可能に係合する係合部材が取り付けられた駆動装置と、前記駆動装置を前記開閉機に保持する保持部材と、を有し、前記保持部材を前記開閉機に保持することで、前記係合部材が前記回転軸に係合し、前記駆動装置を駆動して前記係合部材を介して前記回転軸を回転させて前記シャッターを巻き上げるように構成し、前記保持部材は、前記駆動装置の外周側に取り付けられる取付部と、前記取付部を前記開閉機の周囲に固定する固定部材と、を備え、前記固定部材は、前記取付部を周方向から締め付けて前記開閉機に固定する取付バンドとしたことを特徴とする。
【手続補正５】
【補正対象書類名】明細書
【補正対象項目名】００１３
【補正方法】変更
【補正の内容】
【００１３】
また、請求項３に記載の発明は、手動式のシャッターの開閉機の回転軸を回転させて前記シャッターを巻き上げ可能に構成したシャッター巻上げ装置であって、前記回転軸に係脱可能に係合する係合部材が取り付けられた駆動装置と、前記駆動装置を前記開閉機に保持する保持部材と、を有し、前記保持部材を前記開閉機に保持することで、前記係合部材が前記回転軸に係合し、前記駆動装置を駆動して前記係合部材を介して前記回転軸を回転させて前記シャッターを巻き上げるように構成し、前記係合部材は、前記駆動装置に自在継手を介して取り付けられ、前記係合部材を前記回転軸に対して位置調整可能に構成したことを特徴とする。
【手続補正６】
【補正対象書類名】明細書
【補正対象項目名】００１４
【補正方法】変更
【補正の内容】
【００１４】
また、請求項４に記載の発明は、手動式のシャッターの開閉機の回転軸を回転させて前記シャッターを巻き上げ可能に構成したシャッター巻上げ装置であって、前記回転軸に係脱可能に係合する係合部材が取り付けられた駆動装置と、前記駆動装置を前記開閉機に保持する保持部材と、を有し、前記保持部材を前記開閉機に保持することで、前記係合部材が前記回転軸に係合し、前記駆動装置を駆動して前記係合部材を介して前記回転軸を回転させて前記シャッターを巻き上げるように構成し、前記駆動装置は、Ｘ軸方向及びＸ軸方向に対して直交するＹ軸方向に移動可能とするＸＹステージに取り付けられ、前記駆動装置をＸ軸方向及びＸ軸方向に移動させて前記係合部材を前記回転軸に対して位置調整可能に構成したことを特徴とする。
【手続補正７】
【補正対象書類名】明細書
【補正対象項目名】００１５
【補正方法】変更
【補正の内容】
【００１５】
請求項１に記載の発明によれば、保持部材を開閉機に保持することで、係合部材が回転軸に係合し、駆動装置を駆動して係合部材を介して回転軸を回転させてシャッターを巻き上げるように構成したことから、構造が簡素化され、設置するための作業効率を大幅に向上させることが可能になる。
また、請求項１に記載の発明によれば、保持部材は、開閉機の外形に対応して筒状に形成されるとともに、その内形が開閉機の外形よりもやや大きく形成され、一端部が開閉機の外周面に嵌め込み可能に構成され、駆動装置が取り付けられた取付部と、開閉機の外周面に嵌め込まれている取付部の一端部を該外周面に固定する固定部材と、を備えることから、取付部を開閉機の周囲に容易に固定することができる。
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】変更
【補正の内容】
【００１７】
また、請求項２に記載の発明によれば、固定部材は、取付部を周方向から締め付けて開閉機に固定する取付バンドとしたことから、取付部を開閉機の周囲に極めて容易に固定することができる。
【手続補正１０】
【補正対象書類名】明細書
【補正対象項目名】００１８
【補正方法】変更
【補正の内容】
【００１８】
また、請求項３に記載の発明によれば、係合部材は、駆動装置に自在継手を介して取り付けられ、係合部材を回転軸に対して位置調整可能に構成したことから、回転軸に係合部材を確実かつ容易に係合させ、駆動装置の回転駆動力を開閉機の回転軸に確実に伝達することができる。
【手続補正１１】
【補正対象書類名】明細書
【補正対象項目名】００１９
【補正方法】変更
【補正の内容】
【００１９】
また、請求項４に記載の発明によれば、駆動装置は、Ｘ軸方向及びＸ軸方向に対して直交するＹ軸方向に移動可能とするＸＹステージに取り付けられ、前記駆動装置をＸ軸方向及びＸ軸方向に移動させて前記係合部材を前記回転軸に対して位置調整可能に構成したことから、同様に回転軸に係合部材を確実かつ容易に係合させ、駆動装置の回転駆動力を開閉機の回転軸に確実に伝達することができる。
【手続補正１２】
【補正対象書類名】明細書
【補正対象項目名】００２８
【補正方法】変更
【補正の内容】
【００２８】
電動ドリル４は、プルスイッチ４ｄを有する。このプルスイッチ４ｄの紐４ｅを引っ張ることで、電動ドリル４が駆動する。図２に示すように係合部材５が回転軸３に係合した際、プルスイッチ４ｄの紐４ｅを引っ張ることで電動ドリル４が駆動し、スリーブ４ｃ及び係合部材５を介して開閉機２の回転軸３を回転駆動させる。ここで、プルスイッチ４ｄは、紐を引くことで電路を開閉する手動スイッチである。シャッター巻上げ装置１が建築物の天井内に設置された開閉機２に保持されることから、プルスイッチ４ｄの紐４ｅの下端は、床上で作業者が操作し易い長さまで延びている。
【手続補正書】
【提出日】令和1年10月17日(2019.10.17)
【手続補正１】
【補正対象書類名】特許請求の範囲
【補正対象項目名】請求項４
【補正方法】変更
【補正の内容】
【請求項４】
手動式のシャッターの開閉機の回転軸を回転させて前記シャッターを巻き上げ可能に構成したシャッター巻上げ装置であって、
前記回転軸に係脱可能に係合する係合部材が取り付けられた駆動装置と、
前記駆動装置を前記開閉機に保持する保持部材と、を有し、
前記保持部材を前記開閉機に保持することで、前記係合部材が前記回転軸に係合し、前記駆動装置を駆動して前記係合部材を介して前記回転軸を回転させて前記シャッターを巻き上げるように構成し、
前記駆動装置は、Ｘ軸方向及びＸ軸方向に対して直交するＹ軸方向に移動可能とするＸＹステージに取り付けられ、前記駆動装置をＸ軸方向及びＹ軸方向に移動させて前記係合部材を前記回転軸に対して位置調整可能に構成したことを特徴とするシャッター巻上げ装置。
【手続補正２】
【補正対象書類名】明細書
【補正対象項目名】００１４
【補正方法】変更
【補正の内容】
【００１４】
また、請求項４に記載の発明は、手動式のシャッターの開閉機の回転軸を回転させて前記シャッターを巻き上げ可能に構成したシャッター巻上げ装置であって、前記回転軸に係脱可能に係合する係合部材が取り付けられた駆動装置と、前記駆動装置を前記開閉機に保持する保持部材と、を有し、前記保持部材を前記開閉機に保持することで、前記係合部材が前記回転軸に係合し、前記駆動装置を駆動して前記係合部材を介して前記回転軸を回転させて前記シャッターを巻き上げるように構成し、前記駆動装置は、Ｘ軸方向及びＸ軸方向に対して直交するＹ軸方向に移動可能とするＸＹステージに取り付けられ、前記駆動装置をＸ軸方向及びＹ軸方向に移動させて前記係合部材を前記回転軸に対して位置調整可能に構成したことを特徴とする。
【手続補正３】
【補正対象書類名】明細書
【補正対象項目名】００１９
【補正方法】変更
【補正の内容】
【００１９】
また、請求項４に記載の発明によれば、駆動装置は、Ｘ軸方向及びＸ軸方向に対して直交するＹ軸方向に移動可能とするＸＹステージに取り付けられ、前記駆動装置をＸ軸方向及びＹ軸方向に移動させて前記係合部材を前記回転軸に対して位置調整可能に構成したことから、同様に回転軸に係合部材を確実かつ容易に係合させ、駆動装置の回転駆動力を開閉機の回転軸に確実に伝達することができる。
【手続補正４】
【補正対象書類名】明細書
【補正対象項目名】００４１
【補正方法】変更
【補正の内容】
【００４１】
また、本実施形態では、取付部７に２本の蝶ボルトによって電動ドリル４を取り付けた例について説明したが、これに限らず、例えば電動ドリル４をＸ軸方向及びＸ軸方向に対して直交するＹ軸方向に移動可能とする図示しないＸＹステージに取り付け、電動ドリル４をＸ軸方向及びＹ軸方向に移動させて係合部材５を回転軸３に対して位置調整可能に構成するようにしてもよい。
【手続補正５】
【補正対象書類名】明細書
【補正対象項目名】００５３
【補正方法】変更
【補正の内容】
【００５３】
また、本実施形態でも、前記第１実施形態と同様に、固定板１１に変えて駆動モータ１０を図示しないＸＹステージに取り付け、駆動モータ１０をＸ軸方向及びＹ軸方向に移動させて係合部材５を回転軸３に対して位置調整可能に構成するようにしてもよい。